(57)【要約】【課題】駆動用コイルの端末を傷つけることなく、かつ、バネ部材やレンズホルダーへの悪影響が生じない駆動用コイルの接続形態を有するレンズ駆動装置を提供する。【解決手段】駆動用コイル１５の端末１５ｋ，１５ｌを、それぞれ、ケース１６に取付けられた通電用端子１８Ａ，１８Ｂに接続する際に、駆動用コイル１５の巻き始め部１５ａから通電用端子１８Ａに至る巻き始め引き出し部１５Ａの形状と駆動用コイル１５の巻き終わり部１５ｂから通電用端子１８Ｂに至る巻き終わり引き出し部１５Ｂの形状を、水平方向に延長するホルダー側部と垂直方向に延長する端子側部とを有するＬ字状に湾曲した形状とした。【選択図】図１
2011059274.tif 000002
【特許請求の範囲】
【請求項１】
可動側の部材であるレンズホルダーの外周側壁に装着された駆動用コイルの端末が、固定側の部材に設けられた通電用端子に接続された構成のレンズ駆動装置であって、前記駆動用コイルの巻き始め部から前記通電用端子に至る前記駆動用コイルの巻き始め引き出し部と前記駆動用コイルの巻き終わり部から前記通電用端子に至る前記駆動用コイルの巻き終わり引き出し部とが、前記レンズホルダーの軸方向を上下方向とした時に、前記巻き始め部または前記巻き終わり部から水平方向に延長するホルダー側部と、このホルダー側部の端部から前記ホルダー側部の延長方向と交差する方向に延長する端子側部とを有することを特徴とするレンズ駆動装置。
【請求項２】
前記ホルダー側部の延長方向と前記端子側部の延長方向とが直交していることを特徴とする請求項１に記載のレンズ駆動装置。
【請求項３】
前記駆動用コイルの巻き始め引き出し部の端部と巻き終わり引き出し部の端部とは、それぞれ前記各通電用端子と溶接により接続されていることを特徴とする請求項１または請求項２に記載のレンズ駆動装置。
【請求項４】
前記各通電用端子は、前記固定側の部材から前記レンズホルダー側へ延びる椀部と、この椀部の先端側に設けられて前記端子側部の延長方向と平行な方向に延長する接続片とを備え、これらの接続片に前記駆動用コイルの巻き始め引き出し部の端部と巻き終わり引き出し部の端部とがそれぞれ巻回されて絡げられていることを特徴とする請求項１〜請求項３のいずれかに記載のレンズ駆動装置。
【請求項５】
前記駆動用コイルの絡げ始め部分と前記通電用端子とが樹脂で覆われていることを特徴とする請求項４に記載のレンズ駆動装置。
【発明の詳細な説明】
【技術分野】
【０００１】
本発明は、カメラ等に用いられる、ボイスコイルモータを用いたレンズ駆動装置に関するもので、特に、可動側であるレンズホルダーに装着された駆動用コイルの端末を固定側に接続する構成に関する。
【背景技術】
【０００２】
近年、携帯電話等に搭載されるカメラはイメージセンサの画素数が増大されて撮影画像の高品質化が進んでいる。これに伴って、搭載されるレンズ系についても、従来の固定焦点のカメラモジュールから可動焦点のカメラモジュールへと移行しつつある。これは、固定焦点のカメラモジュールでは、焦点ボケが生じて、高画素数イメージセンサの分解能に対応することができないためである。
可動焦点のカメラモジュールにおけるレンズ系の駆動方式としては、ボイスコイルモータを用いたレンズ駆動装置が多く用いられている。
【０００３】
図１０は、従来のボイスコイルモータを用いたレンズ駆動装置５０の一構成例を示す図である。レンズ駆動装置５０は、軟鉄等の磁性体から成る断面がＵ字状のヨーク５１と、ヨーク５１の内壁側に取付けられる円筒状の永久磁石５２と、中央位置にレンズ５３を保持するレンズホルダー５４と、このレンズホルダー５４に装着される駆動用コイル５５と、内周側にヨーク５１が装着されるケース５６と、ホルダー５４とケース５６とを連結する上下の板バネ５７（５７Ａ，５７Ｂ）とを備えている（例えば、特許文献１参照）。
板バネ５７は、図１１に示すように、ホルダー５４に嵌合される内輪部５７ａと、ケース５６に取付けられる外輪部５７ｂと、内輪部５７ａと外輪部５７ｂとを連結する椀部５７ｃとを備えており、前記椀部５７ｃがバネ要素として機能する。
【０００４】
レンズ駆動装置５０の駆動用コイル５５は、ヨーク５１と永久磁石５２とにより印加される、コイル周りに放射状に分布する磁界中に設置されている。したがって、駆動用コイル５５に通電すると、駆動用コイル５５は、図１０の矢印に示すような、被写体の方向（上下方向）へ向いたローレンツ力が発生するので、レンズホルダー５４を、ローレンツ力と板バネ５７の復元力との釣り合った位置に移動させることができる。
すなわち、駆動用コイル５５に通電する電流値を制御することにより、レンズホルダー５４の移動量を制御して、レンズ５３の位置を制御することができる。
【０００５】
板バネ５７は、例えば、金属もしくは合金から成る板状の導電体であるので、このレンズ駆動装置５０では、駆動用コイル５５の端末５５ｋ，５５ｌを、導電体である板バネ５７を介して、図示しない駆動用電源に接続される電源線に接続することにより、駆動用コイル５５を通電可能としている。
具体的には、図１１及び図１２に示すように、レンズホルダー５４に装着された駆動用コイル５５の巻き始め部の端末５５ｋを引き出して、板バネ５７Ａの内輪部５７ａと椀部５７ｃとの間の隙間５７ｓを通し、内輪部５７ａまたは椀部５７ｃの根元５７ｄ付近に半田付けする。なお、図１２において、符号５７Ｐは半田付け部である。
巻き終わり部の端末５５ｌも、巻き始め部の端末５５ｋと同様の方法で板バネ５７Ｂに半田付けされる。
【先行技術文献】
【特許文献】
【０００６】
【特許文献１】特開２００４−２８００３１号公報
【発明の概要】
【発明が解決しようとする課題】
【０００７】
しかしながら、板バネ５７の内輪部５７ａと椀部５７ｃとの間の隙間の大きさは、一般に、１００μｍ〜１５０μｍと狭く、かつ、駆動用コイル５５を構成する巻線もその線径が５０μｍ程度と極めて細いため、駆動用コイル５５の端末５５ｋ，５５ｌを傷つけないように、注意深く、板バネ５７の内輪部５７ａと椀部５７ｃとの間の隙間５７ｓに通さなければならない。そのため、作業に時間がかかったり、ときには、端末５５ｋ，５５ｌを傷つけて、駆動用コイル５５の絶縁被膜を剥がしてしまうことがあった。
また、半田コテの熱が板バネ５７の椀部５７ｃに伝わって椀部５７ｃが加熱されるため、バネ特性が劣化したり、半田付け部５７Ｐがレンズホルダー５４に接近しているため、半田コテがレンズホルダー５４に接触して、レンズホルダー５４を溶かしてしまったりしていた。
【０００８】
本発明は、従来の問題点に鑑みてなされたもので、駆動用コイルの端末を傷つけることなく、かつ、バネ部材やレンズホルダーへの悪影響が生じない駆動用コイルの接続形態を有するレンズ駆動装置を提供することを目的とする。
【課題を解決するための手段】
【０００９】
本願発明は、可動側の部材であるレンズホルダーの外周側壁に装着された駆動用コイルの端末が、固定側の部材に設けられた通電用端子に接続された構成のレンズ駆動装置であって、前記駆動用コイルの巻き始め部から前記通電用端子に至る前記駆動用コイルの巻き始め引き出し部と前記駆動用コイルの巻き終わり部から前記通電用端子に至る前記駆動用コイルの巻き終わり引き出し部とが、前記レンズホルダーの軸方向を上下方向とした時に、前記巻き始め部または前記巻き終わり部から水平方向に延長するホルダー側部と、このホルダー側部の端部から前記ホルダー側部の延長方向と交差する方向に延長する端子側部とを有することを特徴とする。
なお、上下方向をｚ方向、前後方向をｘ方向、左右方向をｙ方向としたときに、前記ホルダー側部はｘｙ平面内にあるが、前記端子側部は、ｘｙ平面に交差する方向に延長する形態のものに限定されるものではなく、ｘｙ平面内にあってかつ前記ホルダー側部の延長方向に交差する方向に延長する形態のものも含まれる。
これにより、駆動コイルの巻き始め部や巻き終わり部にレンズホルダーの移動に伴って生じる回転に起因する圧縮力や張力が作用した場合でも、巻き始め引き出し部や巻き終わり引き出し部が撓むことでこれらの圧縮力や張力を吸収することができるので、レンズホルダーを滑らかに移動させることができる。
また、駆動用コイルの端末が固定側の部材に設けられた通電用端子に接続される構成であるので、駆動用コイルの端末を傷つけることがないだけでなく、半田コテの熱によるバネ部材の劣化やレンズホルダーの融解などを大幅に低減することができるので、レンズ駆動装置を安定して動作させることができる。
【００１０】
また、本願発明は、前記ホルダー側部の延長方向と前記端子側部の延長方向とが直交していることを特徴とする。
これにより、圧縮力と張力に対する端子側部の撓みを均等にできるので、圧縮力や張力を確実に吸収することができる。
また、本願発明は、駆動用コイルの端末である前記駆動用コイルの巻き始め引き出し部の端部と巻き終わり引き出し部の端部とが、それぞれ前記各通電用端子と溶接により接続されていることを特徴とする。これにより、通電用端子と駆動用コイルとの接続が堅牢となるので、装置の長寿命化を図ることができる。
【００１１】
また、本願発明は、前記各通電用端子が、前記固定側の部材から前記レンズホルダー側へ延びる椀部と、この椀部の先端側に設けられて前記端子側部の延長方向と平行な方向に延長する接続片とを備えており、これらの接続片に前記駆動用コイルの巻き始め引き出し部の端部と巻き終わり引き出し部の端部とがそれぞれ巻回されて絡げられていることを特徴とする。
これにより、駆動用コイルの端末を確実に通電用端子に固定できるので、通電用端子と駆動用コイルとの溶接もしくは半田付けが容易となる。したがって、通電用端子と駆動用コイルとを確実に接続することができる。
【００１２】
また、本願発明は、前記駆動用コイルの絡げ始め部分と前記通電用端子とが樹脂で覆われていることを特徴とする。
これにより、レンズホルダーの移動時に、前記端子側部が前記通電用端子と接触することを避けることができるので、駆動用コイルの損傷を防ぐことができる。
【００１３】
なお、前記発明の概要は、本発明の必要な全ての特徴を列挙したものではなく、これらの特徴群のサブコンビネーションもまた、発明となり得る。
【図面の簡単な説明】
【００１４】
【図１】本発明の実施の形態に係るレンズ駆動装置の構成を示す図である。
【図２】通電用端子と駆動用コイルの端末との接続状態を示す図である。
【図３】駆動用コイルの端末の溶接方法を示す図である。
【図４】駆動用コイルの端末の補強方法を示す図である。
【図５】駆動用コイルの引き出し部の動作を示す図である。
【図６】通電用端子と駆動用コイルの端末との他の接続状態を示す図である。
【図７】通電用端子と駆動用コイルの端末との他の接続状態を示す図である。
【図８】通電用端子と駆動用コイルの端末との他の接続状態を示す図である。
【図９】通電用端子と駆動用コイルの端末との他の接続状態を示す図である。
【図１０】従来のレンズ駆動装置の構成を示す断面図である。
【図１１】従来の駆動用コイルの端末の接続方法を示す図である。
【図１２】図１１の要部拡大図である。
【発明を実施するための形態】
【００１５】
以下、実施の形態を通じて本発明を詳説するが、以下の実施の形態は特許請求の範囲に係る発明を限定するものではなく、また、実施の形態の中で説明される特徴の組み合わせの全てが発明の解決手段に必須であるとは限らない。
【００１６】
図１（ａ），（ｂ）は、本発明の実施の形態に係るレンズ駆動装置１０の構成を示す図で、（ａ）図は装置全体の断面図、（ｂ）図は通電用端子と駆動用コイルの端末との接続方法を示す要部斜視図である。
レンズ駆動装置１０は、軟鉄等の磁性体から成るヨーク１１と、このヨーク１１の内壁側に取付けられる永久磁石１２と、対物レンズや接眼レンズが組み合わされたレンズ１３と、このレンズ１３を中央位置に保持するレンズホルダー１４と、レンズホルダー１４の外側面に装着される駆動用コイル１５と、ヨーク１１をその内周側に装着するケース１６と、このケース１６とレンズホルダー１４とを連結する上下の板バネ１７（１７Ａ，１７Ｂ）と、通電用端子１８（１８Ａ，１８Ｂ）とを備える。なお、図のｚ方向をレンズ駆動装置１０の上下方向とし、ｘｙ平面を水平面とした。
ケース１６とヨーク１１と永久磁石１２とが本発明のレンズ駆動装置１０の固定側の部材であり、レンズ１３及びレンズレンズホルダー１４と駆動用コイル１５とが可動側の部材である。また、上下の板バネ１７（１７Ａ，１７Ｂ）が固定側の部材と可動側とを連結する連結部材である。
なお、以下、駆動用コイル１５の巻き始め部１５ａから通電用端子１８Ａに至る部分を駆動用コイル１５の巻き始め引き出し部１５Ａ、駆動用コイル１５の巻き終わり部１５ｂから通電用端子１８Ｂに至る部分を駆動用コイル１５の巻き終わり引き出し部１５Ｂという。前記駆動用コイル１５の巻き始め引き出し部１５Ａの端部１５ｋと巻き終わり引き出し部１５Ｂの端部１５ｌとが、駆動用コイル１５の端末である。
【００１７】
ヨーク１１は、軟鉄等の磁性体から成る断面がＬ字型の円筒状の部品で、レンズホルダー１４の周りに所定の間隔を隔てて配置される。
永久磁石１２は、ヨーク１１の内壁に取付けられる円筒状の部材で、ヨーク１１とともに、駆動用コイル１５周りに放射状に分布する磁界を印加する。
レンズホルダー１４は円筒状の部品で、中央位置に対物レンズや接眼レンズが組み合わされたレンズ１３を保持する。
駆動用コイル１５はレンズホルダー１４の外周の側壁に装着される。
ケース１６は、基部１６ａとこの基部１６ａの周縁部から上部に突出するヨーク支持部材１６ｂとを備える。基部１６ａは平面視が矩形の板状の部材で、静止状態において、レンズホルダー１４の下側を支持し、ヨーク支持部材１６ｂは、内周面でヨーク１１及び永久磁石１２を支持する。
板バネ１７は円環状のバネで、上板バネ１７Ａは、レンズホルダー１４の上面とケース１６のヨーク支持部材１６ｂとを連結し、下板バネ１７Ｂは、レンズホルダー１４の下面とケース１６の基部１６ａの４隅に突設されたバネ取付部材１６ｐの上面に取付けられて、レンズホルダー１４とケース１６とを連結する。
【００１８】
通電用端子１８（１８Ａ，１８Ｂ）は、ケース１６の基部１６ａの側面１６ｃで、かつ、２つのバネ取付部材１６ｐの間に所定の間隔を隔てて設けられている。この通電用端子１８は、それぞれ、図示しない駆動用電源に接続される電源線に接続されている。
通電用端子１８は、詳細には、基部１６ａの側面１６ｃに取付けられる平板状の取付部１８ａと、この取付部１８ａからレンズホルダー１４側へ延びる椀部１８ｂと、この椀部１８ｂの先端側に設けられて上方向に突設された接続片１８ｃとを備えたクランク状に屈曲した部材で、先端部の接続片１８ｃに、駆動用コイル１５の巻き始め引き出し部１５Ａの端部１５ｋ、もしくは、駆動用コイル１５の巻き終わり引き出し部１５Ｂの端部１５ｌが接続される。
本例では、椀部１８ｂを、レンズホルダー１４側へ延びる水平片１８１と、この水平片１８１の一端側から上方に突出する垂直片１８２と、この垂直片１８２の一端側からレンズホルダー１４側へ突出する突出片１８３とから構成し、この突出片１８３の一端側に前記接続片１８ｃを設けている。
このような形態の通電用端子１８は、例えば、金属板に打ち抜き加工及び折り曲げ加工を施すことで形成することができる。
【００１９】
図２は、通電用端子１８Ａの接続片１８ｃに駆動用コイル１５の巻き始め引き出し部１５Ａの端部１５ｋを接続した状態を示す図である。本例では、この巻き始め引き出し部１５Ａの形状を、巻き始め部１５ａから水平方向に延長するホルダー側部１５ｘと、このホルダー側部１５ｘから上方に延長して通電用端子１８Ａの接続片１８ｃに接続される端子側部１５ｚとを有するＬ字状に湾曲した形状とするとともに、巻き始め引き出し部１５Ａの端部１５ｋを通電用端子１８Ａの接続片１８ｃに巻回して絡げることにより、駆動用コイル１５の巻き始め引き出し部１５Ａの端部１５ｋを通電用端子１８Ａに取付けている。
駆動用コイル１５の巻き終わり引き出し部１５Ｂの端部１５ｌを通電用端子１８Ｂに取付ける場合も同様である。
【００２０】
本例では、巻き始め引き出し部１５Ａの端部１５ｋを通電用端子１８Ａの接続片１８ｃに巻回して絡げた後、駆動用コイル１５の巻き始め引き出し部１５Ａの端部１５ｋと通電用端子１８Ａの接続片１８ｃの先端部１８ｋとを溶接により接合する。巻き終わり引き出し部１５Ｂの端部１５ｌと通電用端子１８Ｂの接続片１８ｃの先端部１８ｌとの接合についても同様である。
溶接法として、アークＴＩＧ溶接やアークプラズマ溶接等を用いて、端部１５ｋと先端部１８ｋ、及び、端部１５ｌと先端部１８ｌとをそれぞれ接合することにより、先端部１８ｋ，１８ｌの近傍のみを、端部１５ｋ，１５ｌとともに、極めて短時間に溶融させることができる。したがって、通電用端子１８Ａ，１８Ｂ全体が高温になることがないので、溶接部の領域を小さくすることができる。
【００２１】
図３（ａ），（ｂ）は、アークＴＩＧ溶接による接合を示す図である。
通電用端子１８Ａの接続片１８ｃに絡げられた巻き始め引き出し部１５Ａの端部１５ｋのうち、絡げ始め部分を１５ｍ、絡げ終わり部分（終端を含む部分）を１５ｎとする。
まず、図３（ａ）に示すように、溶接ヘッド２０を接続片１８ｃの先端部１８ｋの上部に接近させて、タングステン電極２１の先端と先端部１８ｋとの距離が１ｍｍ程度になる位置に溶接ヘッド２０を設置する。次に、シールドノズル２２により、アルゴンガスを接続片１８ｃの先端部に吹き付けながらアーク電流２０ｊを放電させて、通電用端子１８Ａの接続片１８ｃの先端部１８ｋと、巻き始め引き出し部１５Ａの端部１５ｋの絡げ終わり部分１５ｎの一部とを同時に溶融させることにより、通電用端子１８Ａと巻き始め引き出し部１５Ａの端部１５ｋとを接合する。
溶接後には、図３（ｂ）に示すように、接続片１８ｃの先端部と巻き始め引き出し部１５Ａの端部１５ｋの絡げ終わり部分１５ｎの一部とが一体化されて、ほぼ球状の溶接部１５ｒが形成される。したがって、通電用端子１８Ａと駆動用コイル１５との接続が堅牢となる。通電用端子１８Ｂの接続片１８ｃと駆動用コイル１５の巻き終わり引き出し部１５Ｂの端部１５ｌとの接合についても同様である。
なお、溶接に代えて半田付けにより駆動用コイル１５の端部１５ｋ，１５ｌと通電用端子１８Ａ，１８Ｂとを接合することも可能であるが、溶接の方がより確実な接合が可能である。また、半田付けの場合には、半田合金成分が装置内に付着してしまうことや、ハロゲン物質等を含有するフラックスを使用することから、レンズ駆動装置としての製品内の環境負荷物質の軽減や製造工程におけるハロゲンフリー化の意味でも溶接が望ましい。
【００２２】
更に、本例では、図４（ａ）に示すように駆動用コイル１５の絡げ始め部分１５ｖと通電用端子１８Ａの接続片１８ｃ及び突出片１８３のエッジ部１８ｇとその周辺を柔軟性のある接着剤等の樹脂３０で覆うことにより、巻き始め引き出し部１５Ａの端子側部１５ｚを補強するようにしている。
これは、レンズホルダー１４の移動時に、巻き始め引き出し部１５Ａの端子側部１５ｚがエッジ部１８ｇと接触して擦れることを避けるためである。すなわち、端子側部１５ｚがエッジ部１８ｇと繰り返し接触して擦れると、駆動用コイル１５の被膜が剥がれたり、場合によっては、断線することも考えられる。したがって、駆動用コイル１５の絡げ始め部分１５ｖとエッジ部１８ｇとを樹脂３０で覆うことにより、端子側部１５ｚはエッジ部１８ｇに接触しないので、端子側部１５ｚが損傷を被ることがない。
なお、図４（ｂ）に示すように、駆動用コイル１５の絡げ始め部分１５ｖと通電用端子１８の接続片１８ｃ及び突出片１８３の一部を樹脂３０で覆うようにしてもよい。
【００２３】
次に、駆動用コイル１５に通電し、レンズホルダー１４を図１の矢印で示すｚ方向に移動させたときの駆動用コイル１５の巻き始め引き出し部１５Ａの動きを、図５を参照して説明する。
本発明のレンズ駆動装置１０の板バネ１７は、図１１に示した板バネ５７Ａと同様の構成で、レンズホルダー１４に嵌合される内輪部と、ケース１６に取付けられる外輪部と、内輪部と外輪部とを連結する複数の椀部とを備えている。この椀部は、図１１に示すように巴状に形成されており、レンズホルダー１４はこれら複数の椀部によりケース１６に懸架された状態で保持されている。
ここで、通電用端子１８Ａ，１８Ｂと駆動用コイル１５の巻き始め引き出し部１５Ａの端部１５ｋと巻き終わり引き出し部１５Ｂの端部１５ｌとが、それぞれ、直線的に接続されていると仮定すると、レンズホルダー１４を図１の矢印で示すｚ方向に移動させたときには、板バネ１７の椀部が巴状に形成されているため、レンズホルダー１４はｚ方向に移動するとともに回転する（図１０の符号Ωで示す回転）。このため、例えば、巻き始め引き出し部１５Ａには張力がかかり、巻き終わり引き出し部１５Ｂは圧縮されて弛む。張力がかかった方の端末である巻き始め引き出し部１５Ａは、レンズホルダー１４の被写体方向（＋ｚ方向）への移動を妨げる。一方、弛んだ方の端末部である巻き終わり引き出し部１５Ｂは、近接する他の部材に接触して摩擦を生じる。したがって、安定したレンズホルダー１４の移動が望めない。
【００２４】
本願発明のレンズ駆動装置１０では、図５に示すように、通電用端子１８Ａ，１８Ｂと駆動用コイル１５の巻き始め引き出し部１５Ａの端部１５ｋと巻き終わり引き出し部１５Ｂの端部１５ｌとが、それぞれ、水平方向に延長するホルダー側部１５ｘと垂直方向に延長する端子側部１５ｚとを有するＬ字状に湾曲した形状であるので、駆動用コイル１５の巻き始め引き出し部１５Ａや巻き終わり引き出し部１５Ｂにレンズホルダー１４の移動に伴って生じる回転による圧縮力や張力が作用した場合には、端子側部１５ｚの立ち上げ部１５ｐが、同図の１５ｐＬや１５ｐＲに示すように、左右に撓むことができる。つまり、端子側部１５ｚの立ち上げ部１５ｐが左右に撓むことで、前記圧縮力や張力を吸収することができるので、巻き始め引き出し部１５Ａや巻き終わり引き出し部１５Ｂが他の部材に接触したり、レンズホルダー１４の移動を妨げることがない。したがって、レンズホルダー１４を安定してｚ方向へ移動させることができる。
【００２５】
このように、本実施の形態では、駆動用コイル１５の端末１５ｋ，１５ｌを、ケース１６に取付けられた通電用端子１８Ａ，１８に接続する際に、駆動用コイル１５の巻き始め部１５ａから通電用端子１８Ａに至る巻き始め引き出し部１５Ａの形状と駆動用コイル１５の巻き終わり部１５ｂから通電用端子１８Ｂに至る巻き終わり引き出し部１５Ｂの形状を、水平方向に延長するホルダー側部１５ｘと垂直方向に延長する端子側部１５ｚとを有するＬ字状に湾曲した形状としたので、巻き始め引き出し部１５Ａや巻き終わり引き出し部１５Ｂにレンズホルダー１４の移動に伴って生じる回転による圧縮力や張力が作用しても前記圧縮力や張力を吸収することができる。したがって、巻き始め引き出し部１５Ａや巻き終わり引き出し部１５Ｂが他の部材に接触したり、レンズホルダー１４の移動を妨げることがないので、レンズホルダー１４を安定してｚ方向へ移動させることができる。
【００２６】
また、巻き始め引き出し部１５Ａの端部１５ｋと巻き終わり引き出し部１５Ｂの端部１５ｌとを、通電用端子１８Ａ，１８Ｂの接続片１８ｃに巻回して絡げた後、アーク溶接によって接続するようにしたので、板バネ１７に影響を与えることなく、通電用端子１８Ａと駆動用コイル１５とを確実に接続することができる。
また、駆動用コイル１５の絡げ始め部分１５ｖと通電用端子１８の接続片１８ｃ及び突出片１８３のエッジ部１８ｇとその周辺を樹脂３０で覆うようにしたので、駆動用コイル１５の損傷を防ぐことができる。
【００２７】
なお、前記実施の形態では、通電用端子１８を、平板状の取付部１８ａと、水平片１８１、垂直片１８２、及び、突出片１８３とを備えた椀部１８ｂと、椀部１８ｂの突出片１８３の先端側に設けられて上方向に突設された接続片１８ｃとから構成したが、図６に示すように、接続片１８ｃを省略し、突出片１８３に駆動用コイル１５の巻き始め引き出し部１５Ａの端部１５ｋ、もしくは、駆動用コイル１５の巻き終わり引き出し部１５Ｂの端部１５ｌを接続する形態としてもよい。なお、この場合にも、巻き始め引き出し部１５Ａの形状と巻き終わり引き出し部１５Ｂの形状を、Ｌ字状に湾曲した形状とすることはいうまでもない。
また、図７に示すように、接続片１８ｃに代えて、椀部１８ｂの突出片１８３の先端側から下方向に突設された接続片１８ｃ’を設けてもよい。この場合には、巻き始め引き出し部１５Ａの形状と巻き終わり引き出し部１５Ｂの形状は、図７に示すように、Ｊ字状に湾曲した形状となる。
【００２８】
また、前記例では、図２及び図７に示すように、巻き始め引き出し部１５Ａの形状と巻き終わり引き出し部１５Ｂの形状を、水平方向に延長するホルダー側部１５ｘとこのホルダー側部１５ｘの延在する水平面（図２のｘｙ平面）に垂直な方向に延長する端子側部１５ｚとを備えたＬ字状に湾曲した形状としたが、図８（ａ）に示すように、ホルダー側部１５ｘと、水平面内においてこのホルダー側部１５ｘと直交もしくは交差する方向に延長する形態の端子側部１５ｙとを備えたＬ字状に湾曲した形状としてもよい。
この場合には、例えば、図８（ｂ）に示すような、平板状の取付部１８ａ’と、水平片１８４及び突出片１８５を備えた椀部１８ｂ’と、椀部１８ｂ’の突出片１８６の先端側に設けられて前記端子側部１５ｙと平行に延長する接続片１８ｃ’とを備えた通電用端子１８Ａ’，１８Ｂ’を用いて、前記接続片１８ｃ’に巻き始め引き出し部１５Ａの端部１５ｋと巻き終わり引き出し部１５Ｂの端部１５ｌとをそれぞれ接続すればよい。
【００２９】
また、前記例では、ホルダー側部１５ｘの延長方向と端子側部１５ｚの延長方向とが直交する例を示したが、ホルダー側部１５ｘの延長方向と端子側部１５ｚの延長方との成す角度は９０度に限るものではなく、ホルダー側部１５ｘの延長方向と端子側部１５ｚの延長方とが交差していればよい。但し、本例のように、ホルダー側部１５ｘの延長方向と端子側部１５ｚの延長方向とを直交させた方が、圧縮力と張力に対する端子側部の撓みを均等にできるので、圧縮力や張力を確実に吸収することができるので、好ましい。
【００３０】
また、前記例では、巻き始め引き出し部１５Ａと巻き終わり引き出し部１５Ｂとを、ケース１６の一つの側面１６ｃ側に引き出したが、図９に示すように、巻き始め引き出し部１５Ａをケース１６の側面１６ｄ側に引き出し、巻き終わり引き出し部１５Ｂを側面１６ｄと対向する側面１６ｅ側に引き出すようにしても、巻き始め引き出し部１５Ａや巻き終わり引き出し部１５Ｂが他の部材に接触したり、レンズホルダー１４の移動を妨げることがないので、前記実施の形態と同様に、レンズホルダー１４を安定してｚ方向へ移動させることができる。
また、この場合には、例えば、同図に示すような、平板状の取付部１９ａと、ケース１６の内周に沿った形状の椀部１９ｂと、この椀部の先端側に設けられて前記端子側部１５ｙと平行に延長する接続片１９ｃとを備えた通電用端子１９Ａ，１９Ｂを用いて、前記接続片１９ｃに巻き始め引き出し部１５Ａの端部１５ｋと巻き終わり引き出し部１５Ｂの端部１５ｌとをそれぞれ接続すればよい。
【００３１】
以上、本発明を実施の形態を用いて説明したが、本発明の技術的範囲は前記実施の形態に記載の範囲には限定されない。前記実施の形態に、多様な変更または改良を加えることが可能であることが当業者にも明らかである。そのような変更または改良を加えた形態も本発明の技術的範囲に含まれ得ることが、特許請求の範囲から明らかである。
【産業上の利用可能性】
【００３２】
以上説明したように、本発明によれば、駆動用コイルの端末を傷つけることがないだけでなく、半田コテの熱によるバネ部材の劣化やレンズホルダーの融解などを大幅に低減することができるとともに、レンズホルダーを滑らかに移動させることができるので、レンズ駆動装置を安定して動作させることができるとともに、レンズ駆動装置の信頼性を向上させることができる。
【符号の説明】
【００３３】
１０  レンズ駆動装置、１１  ヨーク、１２  永久磁石、１３  レンズ、
１４  レンズホルダー、１５  駆動用コイル、１５Ａ  巻き始め引き出し部、
１５Ｂ  巻き終わり引き出し部、１５ａ  巻き始め部、１５ｂ  巻き終わり部、
１５ｋ  巻き始め引き出し部の端部、１５ｌ  巻き終わり引き出し部の端部、
１５ｒ  溶接部、１５ｘ  ホルダー側部、１５ｚ  端子側部、
１６  ケース、１６ａ  基部、１６ｂ  ヨーク支持部材、１６ｃ  側面、
１６ｐ  バネ取付部材、１７，１７Ａ，１７Ｂ  板バネ、
１８，１８Ａ，１８Ｂ  通電用端子、
１８ａ  取付部、１８ｂ  椀部、１８ｃ  接続片、１８ｋ，１８ｌ  接続片の先端部、
１８１  椀部の水平片、１８２  腕部の垂直片、１８３  腕部の突出片、
２０  溶接ヘッド、２０ｊ  アーク電流、２１  タングステン電極、
２２  シールドノズル、３０  樹脂。
【図１】
2011059274.tif 000003
【図２】
2011059274.tif 000004
【図３】
2011059274.tif 000005
【図４】
2011059274.tif 000006
【図５】
2011059274.tif 000007
【図６】
2011059274.tif 000008
【図７】
2011059274.tif 000009
【図８】
2011059274.tif 000010
【図９】
2011059274.tif 000011
【図１０】
2011059274.tif 000012
【図１１】
2011059274.tif 000013
【図１２】
2011059274.tif 000014